(57)【特許請求の範囲】
【請求項１】
複数の支柱の間に棚板を架設した物品棚において、隣り合う支柱に、棚板上の物品が棚板から落下するのを防止するための物品落下防止部材の両端部を取り付けた物品落下防止装置であって、
物品落下防止部材を帯状のものとするとともに、隣り合う支柱の少なくともいずれか一方に取り付けた連結部材に、物品落下防止部材の端部を、その長手方向の取付位置を段階的に調整可能として取り付けうる第１の調整手段と、物品落下防止部材の長手方向における連結部材と支柱との距離を連続的に調整しうる第２の調整手段とを設けたたことを特徴とする物品棚における物品落下防止装置。
【請求項２】
第１の調整手段を、連結部材における物品落下防止部材の長手方向に並べて設けられ、かつ物品落下防止部材の端部を係止可能な複数の係止部からなるものとした請求項１記載の物品棚における物品落下防止装置。
【請求項３】
物品落下防止部材の端部に上下方向を向く係止孔を設け、この係止孔を、上下方向を向く複数の係止溝とした係止部に選択的に係止しうるようにした請求項２記載の物品棚における物品落下防止装置。
【請求項４】
連結部材の上下の縁に、係止部である複数の係止溝を、交互に設けた請求項３記載の物品棚における物品落下防止装置。
【請求項５】
第２の調整手段を、連結部材に設けられた固定板と、この固定板に設けたねじ孔に螺合し、かつ先端が支柱における物品落下防止部材と反対側の側面に当接し、物品落下防止部材を引き締め可能な締付ねじとからなるものとした請求項１〜４のいずれかに記載の物品棚における物品落下防止装置。
【請求項６】
連結部材に、支柱に穿設された少なくとも上下１対のスリットを貫通する上下１対の水平脚片を設け、前記スリットを貫通した両水平脚片の先端部に、固定板を係止するようにした請求項５記載の物品棚における物品落下防止装置。
【発明の詳細な説明】
【０００１】
【発明の属する技術分野】
本発明は、地震等により物品棚が振動した際に、物品棚に載置された物品が物品棚から落下するのを防止するための装置に関する。
【０００２】
【従来の技術】
この種の従来例としては、例えば、四隅に立設された支柱の間に棚板を架設し、左右の支柱間に、金属製の棒状のフェンス部材(物品落下防止部材)を取り付けて、地震等により棚板上の物品が振動した際に、物品が棚板から落下しないようにしたものがある。
【０００３】
しかし、このような物品棚では、棚板上に載せられた物品が、例えばガラス製品や陶器である場合に、これらの物品がフェンス部材に衝突して破損するおそれがある。
【０００４】
このような問題を解決した装置としては、例えば実用新案登録第３０４７８１３号公報に記載されているものがある。
【０００５】
この物品棚では、物品落下防止部材として、左右の支柱の間に弾力性のある紐を張設することにより、棚板の振動時に、棚板上のガラス製品や陶器等が、この紐に衝突しても、破損することがないようにしている。
【０００６】
【発明が解決しようとする課題】
しかし、この実用新案登録第３０４７８１３号公報に記載されている物品棚では、支柱間に張設された紐が相当の弾性を有しているため、棚板上の物品が、例えばコンピュータ機器等のかなりの重量のある物品である場合には、上記紐では、このような物品が棚板から落下するのを阻止できず、これらの物品が棚板から落下して破損してしまうことがある。
【０００７】
本発明は、従来の技術が有する上記のような問題点に鑑み、ガラス製品等の破損しやすい物品が、物品落下防止部材に衝突しても、これらの物品が破損することはなく、かつ、コンピュータ機器等の重量のある物品が棚板から落下するのを確実に防止することができるとともに、物品落下防止部材を、その長さと支柱間の間隔とに異同があっても、常に適度の緊張状態で張設しうるようにした物品棚における物品落下防止装置を提供することを目的としている。
【０００８】
【課題を解決するための手段】
本発明によると、上記課題は、次のようにして解決される。
(１) 複数の支柱の間に棚板を架設した物品棚において、隣り合う支柱に、棚板上の物品が棚板から落下するのを防止するための物品落下防止部材の両端部を取り付けた物品落下防止装置であって、物品落下防止部材を帯状のものとするとともに、隣り合う支柱の少なくともいずれか一方に取り付けた連結部材に、物品落下防止部材の端部を、その長手方向の取付位置を段階的に調整可能として取り付けうる第１の調整手段と、物品落下防止部材の長手方向における連結部材と支柱との距離を連続的に調整しうる第２の調整手段とを設ける。
【０００９】
(２) 上記(１)項において、第１の調整手段を、連結部材における物品落下防止部材の長手方向に並べて設けられ、かつ物品落下防止部材の端部を係止可能な複数の係止部からなるものとする。
【００１０】
(３) 上記(２)項において、物品落下防止部材の端部に上下方向を向く係止孔を設け、この係止孔を、上下方向を向く複数の係止溝とした係止部に選択的に係止しうるようにする。
【００１１】
(４) 上記(３)項において、連結部材の上下の縁に、係止部である複数の係止溝を、交互に設ける。
【００１２】
(５) 上記(１)〜(４)項のいずれかにおいて、第２の調整手段を、連結部材に設けられた固定板と、この固定板に設けたねじ孔に螺合し、かつ先端が支柱における物品落下防止部材と反対側の側面に当接し、物品落下防止部材を引き締め可能な締付ねじとからなるものとする。
【００１３】
(６) 上記(５)項において、連結部材に、支柱に穿設された少なくとも上下１対のスリットを貫通する上下１対の水平脚片を設け、前記スリットを貫通した両水平脚片の先端部に、固定板を係止するようにする。
【００１４】
【発明の実施の形態】
以下、本発明の第１の実施形態を備える物品棚(１)について、図１〜図６を参照しながら説明する。
なお、以下の説明では、図１の右下側を「前方」、左上側を「後方」とする。
【００１５】
床（図示略）上に立設された断面形が前後方向の内向きコ字状をなす左右２対の金属製の支柱(２)(３)の左右両側面には、多数の横向きのスリット(４)が上下方向に並べて穿設され、かつ、各支柱(２)(３)の間には、横長方形の棚板(５)が架設されている。
【００１６】
左右方向を向く帯状の物品落下防止部材(６)は、キャンバス地等の厚手の布、ナイロンその他の合成樹脂製バンド等からなり、左右の支柱(２)(３)の内側間隔よりも若干短寸であるとともに、その両端部には、上下方向を向く係止孔(７)が反転屈曲することにより形成されている。
【００１７】
(８)(９)は、物品落下防止部材(６)の左右両端部を、左右の支柱(２)(３)に連結するための金属製の連結部材である。
連結部材(８)(９)は、上下方向を向く基片(10)と、基片(10)の上下両端部に連設された外側方を向く上下１対の水平脚片(11)(12)とを有する、正面視外向きコ字形をなす連結部(13)と、連結部(13)の前後の縁部(前方のものは前縁部、後方のものは後縁部)に連設された内向きの係止片(14)とを備えている。
【００１８】
係止片(14)の上端には、第１の調整手段の係止部をなす２個の係止溝(15)(16)が、左右方向に並べて、下方に向かって切り込まれている。
連結部(13)の上下の水平脚片(11)(12)の間隔は、支柱(２)(３)におけるスリット(４)の間隔と等しく、かつ両水平脚片(11)(12)における外端部の前後両縁には、方形の切込み(11a)(12a)が設けられ、前後に並ぶ切込み(11a)(11a)、(12a)(12a)の間は、他の部分よりも狭幅の係合部(17)となっている。
【００１９】
図２〜図５に示すように、左側の支柱(２)に取り付けられる連結部材(８)と、右側の支柱(３)に取り付けられる連結部材(９)は、互いに左右対称形をなしている。
【００２０】
左右の支柱(２)(３)の開口部に挿入しうる、側面視縦長方形をなす固定板(18)(19)の上下２カ所には、広幅の挿入部(20)の上部に狭幅の係止部(21)を連設した凸形の係止孔(22)が設けられ、右側の支柱(３)側の固定板(19)における上下の係止孔(22)(22)の間には、ねじ孔(23)が穿設されている。
【００２１】
図２及び図４〜図６に示すように、物品落下防止部材(６)の左端部は、その係止孔(７)を連結部材(８)の外側の係止溝(16)に係合し、上下の水平脚片(11)(12)を支柱(２)のスリット(４)にそれぞれ挿入し、固定板(18)を支柱(２)の内部に挿入して、その後端(または前端)を支柱(２)内部の奥端面に当接させた(図６参照)後、固定板(18)の上下の係止孔(22)(22)の挿入部(20)を、上下の水平脚片(11)(12)の係合部(17)まで挿入し、固定板(18)を下方に降ろして、係止部(21)を係合部(17)に嵌合させる(図６参照)ことにより、左側の支柱(２)に連結される。
【００２２】
図３〜図５に示すように、物品落下防止部材(６)の右端部は、上述した左端部と同じ要領で、右側の支柱(３)に連結される。
この時、物品落下防止部材(６)には若干のたるみが生じていることが多いが、その後、支柱(３)の内部において、第２の調整手段の締付ねじである蝶ねじ(24)のねじ部を固定板(19)のねじ孔(23)に螺合し、ねじ部の先端面を支柱(３)内部の左側面に当接させ、さらに蝶ねじ(24)を徐々に回転させることにより、固定板(19)及び固定板(19)と一体となっている連結部材(９)は、右側に徐々に引き込まれ、物品落下防止部材(６)は、たるみが除去されて、適度な固さと弾性を具備する緊張状態とする。
【００２３】
このような本実施形態によれば、物品落下防止部材(６)の左右の挿入孔(７)を、左右の連結部材(８)(９)の２個の係止溝(15)(16)に選択して係合させることにより、物品落下防止部材(６)の係止位置を大まかに２段階に調整できるとともに、蝶ねじ(24)により、物品落下防止部材(６)の端部の係止位置を微調整できるので、物品落下防止部材(６)は、その長さにばらつきがあったとしても、常に適度の緊張状態に保つことができる。
【００２４】
そのため、棚板(５)上にガラス製品等の衝突により破損しやすい物品(図示略)を載置し、これらの物品が振動時等に物品落下防止部材(６)に衝突したとしても、これらの物品を破損させたり、棚板(５)から落下したりするのを防止でき、また、コンピュータ機器等の重量のある物品(図示略)を載せた場合にも、これらの物品が棚板(５)から落下するのを確実に防止することができる。
【００２５】
また、物品落下防止部材(６)は帯状のものであるので、紐状のものに比べて、棚板(５)上の物品の落下を確実に防止できるとともに、棚板(５)上の物品が衝突した際に、その衝突力を分散して吸収することができ、ガラス製品のような物品の破損をより効果的に防止することができる。
【００２６】
次に、本発明の第２の実施形態について、図７及び図８を参照しながら説明する。
なお、第１の実施形態と同じ部材には同じ符号を付すに止めて、その詳細な説明は省略する。
【００２７】
本実施形態の特徴は、左側の支柱(２)に用いられる連結部材(30)にある。
連結部材(30)の上下の水平脚片(11)(12)には、その外端部のみならず、内端部の前後両縁部にも切込み(11a)(12a)が設けられており、この両切込み(11a)(11a)(12a)(12a)の間には係合部(17)が形成されている。
【００２８】
図８に示すように、上下の水平脚片(11)(12)を支柱(２)の内部に最大限挿入し、内側の係合部(17)に固定板(18)の係止部(21)を嵌合して、固定板(18)を支柱(２)内部の右側面に当接させる(図８参照)。
【００２９】
このようにすることにより、連結部材(30)の支柱(２)に対するがたつきを確実に防止できるとともに、連結部材(30)が支柱(２)の内側に大きく突出するのを防止することができる。
また、固定板(18)の係止孔(22)を内外の係合部(17)に選択して嵌合することにより、連結部材(30)の支柱(２)からの距離を２段階に調整できるので、物品落下防止部材(６)の取付位置を更に２段階に調整することができる。
【００３０】
最後に、本発明の第３の実施形態について、図９を参照しながら説明する。
なお、第１の実施形態と同じ部材には同じ符号を付すに止めて、その詳細な説明は省略する。
【００３１】
本実施形態においては、連結部材(40)の係止片(41)の上下の縁に、係止部である下向き及び上向きの複数の係止溝(42)(43)を、左右方向に交互に設けてある。
【００３２】
この連結部材(40)は、左右の支柱(２)(３)に共通して用いることができる。即ち、図９に示す状態においては、右側の支柱(３)に取り付けることができ、図９の状態と天地を逆向きとすると、左側の支柱(２)に取り付けることができる。
このように、左右の連結部材(40)を共用化することにより、部品点数の減少を図ることができる。
【００３３】
【発明の効果】
請求項１記載の発明によると、物品落下防止部材の長さと、それを装着しようとする支柱間の間隔とに異同があっても、物品落下防止部材の長手方向の取付位置を、第１の調整手段により大まかに段階的に調整しうるとともに、第２の調整手段により微調整できるので、物品落下防止部材を、常に緊張状態で支柱の間に張設できる。
【００３４】
このため、棚板上に、ガラス製品等の衝突により破損しやすい物品を載置し、これらの物品が振動時等に物品落下防止部材に衝突したとしても、これらの物品を破損さたり、棚板から落下したりするのを防止でき、また、コンピュータ機器等の重量のある物品を載せた場合にも、これらの物品が棚板から落下するのを確実に防止することができる。
【００３５】
また、物品落下防止部材が帯状のものであるので、紐状のものに比べて、棚板上の物品の落下を確実に防止できるとともに、棚板上の物品が衝突した際に、その衝突力を分散して吸収することができ、ガラス製品のような物品の破損をより効果的に防止することができる。
【００３６】
請求項２記載の発明によると、物品落下防止部材の端部の連結部材の複数の係止部に選択して嵌合することにより、物品落下防止部材の端部の取付位置を、段階的ではあるが、広い範囲にわたって簡単に調整することできる。
【００３７】
請求項３記載の発明によると、物品落下防止部材の端部に形成した係止孔を、いずれかの係止溝に選択的に引っ掛けるだけで、物品落下防止部材を簡単に連結部材に装着することができる。
【００３８】
請求項４記載の発明によると、同一の連結部材を、天地を逆にすることにより、右用と左用とに共通して用いることができ、部品の種類を削減することができる。
【００３９】
請求項５記載の発明によると、物品落下防止手段を、簡単に引き締めることができる。
【００４０】
請求項６記載の発明によると、連結部材の上下の水平脚片を、支柱のスリットに貫通させることにより、連結部材が支柱に回り止めされるとともに、水平脚片の先端部に固定板を係止することにより、連結部材が支柱から抜け止めされ、連結部材は支柱に強固に結合される。
【図面の簡単な説明】
【図１】本発明の第１の実施形態を備える物品棚の斜視図である。
【図２】同じく左後部の支柱への物品落下防止部材の取付構造を示す拡大分解斜視図である。
【図３】同じく右後部の支柱への物品落下防止部材の取付構造を示す拡大分解斜視図である。
【図４】同じく図１のIV−IV線に沿う横断平面図である。
【図５】同じく図４のＶ−Ｖ線に沿う縦断正面図である。
【図６】同じく図４のVI−VI線に沿う縦断側面図である。
【図７】本発明の第２の実施形態の連結部材の拡大斜視図である。
【図８】同じく図５と同様の左側の支柱の縦断正面図である。
【図９】本発明の第３の実施形態の連結部材の拡大斜視図である。
【符号の説明】
(１)物品棚
(２)(３)支柱
(４)スリット
(５)棚板
(６)物品落下防止部材
(７)係止孔
(８)(９)連結部材
(10)基片
(11)(12)水平脚片
(11a)(12a)切込み
(13)連結部
(14)係止片
(15)(16)係止溝(係止部)(第１の調整手段)
(17)係合部
(18)固定板
(19)固定板(第２の調整手段)
(20)挿入部
(21)係止部
(22)係止孔
(23)ねじ孔
(24)蝶ねじ(第２の調整手段)(締付ねじ)
(30)連結部材
(40)連結部材
(41)係止片
(42)(43)係止溝
【図１】
0004091216.tif 000002
【図２】
0004091216.tif 000003
【図３】
0004091216.tif 000004
【図４】
0004091216.tif 000005
【図５】
0004091216.tif 000006
【図６】
0004091216.tif 000007
【図７】
0004091216.tif 000008
【図８】
0004091216.tif 000009
【図９】
0004091216.tif 000010